(57)【要約】【課題】コイルとボビンとの間やボビンとコアとの間の内部空間のクリアランスを一定に保ちながら、充填材をかかる内部空間にまで簡便かつ確実に充填することができるリアクトル装置を提供する。【解決手段】リアクトル装置１は、並置されて互いに接続される一対のコイル５０ａ、５０ｂと、一対のコイル内に対応して配置される一対のセンタコア７２、７２、及び一対のセンタコアの端部同士を対応して連絡する一対のサイドコア７４、７４を有する環状コアと、一対のセンタコアを収容するセンタコア収容部１０４、２０４を有して、一対のコイル及び環状コアを保持するボビンケース１００、２００と、が備えられ、ボビンケースが、センタコア収容部から一対のコイルの内周に向かって突出する突出部１０６、２０６を備える。【選択図】図２
2014027086.tif 000002
【特許請求の範囲】
【請求項１】
並置されて互いに接続される一対のコイルと、
前記一対のコイル内に対応して配置される一対のセンタコア、及び前記一対のセンタコアの端部同士を対応して連絡する一対のサイドコアを有する環状コアと、
前記一対のセンタコアを収容するセンタコア収容部を有して、前記一対のコイル及び前記環状コアを保持するボビンケースと、
を備えるリアクトル装置において、
前記ボビンケースは、前記センタコア収容部から前記一対のコイルの内周に向かって突出する突出部を備えることを特徴とするリアクトル装置。
【請求項２】
前記突出部は、前記センタコア収容部の長手方向においてレール状に連なって延在することを特徴とする請求項１に記載のリアクトル装置。
【請求項３】
前記ボビンケースは、前記センタコア収容部の一部を開口した開口部を備え、前記突出部は、前記開口部に沿うように前記センタコア収容部から前記一対のコイルの前記内周に向かって突出することを特徴とする請求項１又は２に記載のリアクトル装置。
【請求項４】
前記突出部における前記一対のコイルの挿入側の端部は、テーパ状であることを特徴とする請求項１から３のいずれかに記載のリアクトル装置。
【請求項５】
前記ボビンケースは、前記センタコア収容部を分割するように分割自在であることを特徴とする請求項１から４のいずれかに記載のリアクトル装置。
【発明の詳細な説明】
【技術分野】
【０００１】
本発明は、リアクトル装置に関し、特に、リアクトルケース内に充填材が充填されたリアクトル装置に関する。
【背景技術】
【０００２】
近年、電動モータを駆動力源等として備えるハイブリッド車や電気自動車が普及してきている。かかるハイブリッド車や電気自動車は、高電圧化されており、バッテリーの電圧を昇圧するためにはリアクトル装置が用いられている。
【０００３】
かかるリアクトル装置では、互いに並置されて連結される一対のコイル、及びこれらのコイルに嵌め込まれる環状コアが設けられ、更に、環状コアと両コイルとの絶縁性を確保するためにリアクトル用ボビンが用いられている。
【０００４】
特許文献１は、リアクトル用ボビン及びリアクトルに関し、リアクトル用ボビン１は、内側コア部の外周を覆う筒部Ｃと、コイルの端面と露出コア部との間に介在される枠部Ｆ１、Ｆ２と、を有する構成を開示する。詳しくは、リアクトル用ボビン１は、一方の露出コア部側に配される第一枠部Ｆ１を含む第一分割片１１と、他方の露出コア部側に配される第二枠部Ｆ２を含む第二分割片１２と、を組み合わせて成る。また、各分割片１１、１２は、組み合わされる分割片１１、１２同士を係合する係合部１１０、１２０を備え、両係合部１１０、１２０はそれぞれ、組み合わされる分割片１１、１２同士を筒部Ｃの軸方向に分離する力が加えられたとき、互いに当接し合うことで、その力に抗する係合面１１１、１２２を有している。
【先行技術文献】
【特許文献】
【０００５】
【特許文献１】特開２０１１−１９８８４７号公報
【発明の概要】
【発明が解決しようとする課題】
【０００６】
しかしながら、本発明者の検討によれば、特許文献１が開示する構成では、ボビンケースに係合面を設けてお互いを当接させているが、かかる場合に充填材を充填する際には、係合面同士が繋がっているために、リアクトル用ボビンとコアとの内部空間にまでは、充填材が充填されにくい傾向が考えられる。
【０００７】
また、かかる構成では、コイルとリアクトル用ボビンとのクリアランスを一定に保つことが難しいため、コイルとリアクトル用ボビンとの間の空間にも、充填材が充填されにくく傾向が考えられる。
【０００８】
本発明は、以上の検討を経てなされたものであり、コイルとボビンとの間やボビンとコアとの間の内部空間のクリアランスを一定に保ちながら、充填材をかかる内部空間にまで簡便かつ確実に充填することができるリアクトル装置を提供することを目的とする。
【課題を解決するための手段】
【０００９】
以上のような目的を達成するため、本発明の第１の局面は、並置されて互いに接続される一対のコイルと、前記一対のコイル内に対応して配置される一対のセンタコア、及び前記一対のセンタコアの端部同士を対応して連絡する一対のサイドコアを有する環状コアと、前記一対のセンタコアを収容するセンタコア収容部を有して、前記一対のコイル及び前
記環状コアを保持するボビンケースと、を備えるリアクトル装置であって、前記ボビンケースは、前記センタコア収容部から前記一対のコイルの内周に向かって突出する突出部を備えるリアクトル装置である。
【００１０】
また、本発明の第２の局面は、かかる第１の局面に加えて、前記突出部は、前記センタコア収容部の長手方向においてレール状に連なって延在するリアクトル装置である。
【００１１】
また、本発明の第３の局面は、かかる第１又は第２の局面に加えて、前記ボビンケースは、前記センタコア収容部の一部を開口した開口部を備え、前記突出部は、前記開口部に沿うように前記センタコア収容部から前記一対のコイルの前記内周に向かって突出するリアクトル装置である。
【００１２】
また、本発明の第４の局面は、かかる第１から第３の局面のいずれかに加えて、前記突出部における前記一対のコイルの挿入側の端部は、テーパ状であるリアクトル装置である。
【００１３】
また、本発明の第５の局面は、かかる第１から第４の局面のいずれかに加えて、前記ボビンケースは、前記センタコア収容部を分割するように分割自在であるリアクトル装置である。
【発明の効果】
【００１４】
本発明の第１の局面におけるリアクトル装置においては、並置されて互いに接続される一対のコイルと、一対のコイル内に対応して配置される一対のセンタコア、及び一対のセンタコアの端部同士を対応して連絡する一対のサイドコアを有する環状コアと、一対のセンタコアを収容するセンタコア収容部を有して、一対のコイル及び環状コアを保持するボビンケースと、が備えられ、ボビンケースが、センタコア収容部から一対のコイルの内周に向かって突出する突出部を備えることにより、コイルをボビンケースに組み付ける際に、かかる突出部がコイルの内周に接触して、コイルとボビンケースとの間にクリアランスを設けることができるため、コイルとボビンとの間やボビンとコアとの間の内部空間のクリアランスを一定に保ちながら、充填材をかかる内部空間にまで簡便かつ確実に充填することができる。
【００１５】
本発明の第２の局面におけるリアクトル装置においては、突出部が、センタコア収容部の長手方向においてレール状に連なって延在することにより、コイルとボビンケースとのクリアランスを一定に保つことができると共に、レール状の突出部はリブの効果も有するものであるため、ボビンケースの強度を向上させることができる。
【００１６】
本発明の第３の局面におけるリアクトル装置においては、ボビンケースが、センタコア収容部の一部を開口した開口部を備え、突出部が、開口部に沿うようにセンタコア収容部から一対のコイルの内周に向かって突出することにより、かかる開口部から、ボビンケースとコアとの間の内部空間にまで充填材を充填しやすくすることができる。
【００１７】
本発明の第４の局面におけるリアクトル装置においては、突出部における一対のコイルの挿入側の端部が、テーパ状であることにより、コイルをボビンケースに組み付ける際に、コイルの一部が突出部に引っかかることなく、コイルをボビンケースに組み付けやすくすることができる。
【００１８】
本発明の第５の局面におけるリアクトル装置においては、ボビンケースが、センタコア収容部を分割するように分割自在であるような上下セパレート構造を有することにより、センタコアをボビンケースに組み付けやすくすることができる。 
【図面の簡単な説明】
【００１９】
【図１】本発明の実施形態におけるリアクトル装置の斜視図である。
【図２】図２（ａ）は、本実施形態のリアクトル装置におけるコイル組立体の斜視図であり、図２（ｂ）は、図２（ａ）での矢印Ｙ方向に沿って見た本実施形態のリアクトル装置におけるコイル組立体のサイドコアを省略した背面図である。
【図３】図３（ａ）は、本実施形態のリアクトル装置におけるボビン組立体の斜視図である。図３（ｂ）は、図３（ａ）での第１ボビンケース及び第２ボビンケースを分割した状態で示す本実施形態のリアクトル装置におけるボビン組立体の分解部分斜視図である。また、図３（ｃ）は、図３（ａ）を天地を逆にして示すボビン組立体の斜視図である。
【図４】図４（ａ）は、図１のＡ−Ａ断面図であり、図４（ｂ）は、図１のＢ−Ｂ断面図である。
【発明を実施するための形態】
【００２０】
以下、本発明の実施形態におけるリアクトル装置につき、適宜図面を参照して、詳細に説明する。なお、図中、ｘ軸、ｙ軸及びｚ軸は、３軸直交座標系を成し、ｚ軸方向が上下方向であり、ｘ−ｙ平面が水平面であるとする。
【００２１】
図１は、本実施形態におけるリアクトル装置の斜視図である。図２（ａ）は、本実施形態のリアクトル装置におけるコイル組立体の斜視図であり、図２（ｂ）は、図２（ａ）での矢印Ｙ方向に沿って見た本実施形態のリアクトル装置におけるコイル組立体のサイドコアを省略した背面図である。図３（ａ）は、本実施形態のリアクトル装置におけるボビン組立体の斜視図である。図３（ｂ）は、図３（ａ）での第１ボビンケース及び第２ボビンケースを分割した状態で示す本実施形態のリアクトル装置におけるボビン組立体の分解部分斜視図である。図３（ｃ）は、図３（ａ）を天地を逆にして示すボビン組立体の斜視図である。また、図４（ａ）は、図１のＡ−Ａ断面図であり、図４（ｂ）は、図１のＢ−Ｂ断面図である。
【００２２】
図１に示すように、リアクトル装置１は、リアクトルケース１０と、リアクトルケース１０内に収容して固定されたコイル組立体３０と、を備える。コイル組立体３０を収容したリアクトルケース１０内には、充填材Ｍが充填されてコイル組立体３０を密閉状態に維持している。
【００２３】
詳しくは、リアクトルケース１０は、上方向が開口端である角箱状の形状を有して、典型的にはアルミニウム（アルミニウム合金を含む）製の一体成形品であり、図示を省略する車両側の固定部材に固定される複数個の固定部１２を備える。かかるリアクトルケース１０の縦壁の一部は切り欠かれて切欠き部を成し、その切欠き部には、ケース嵌合部材１４が嵌合されて固定されている。かかるケース嵌合部材１４には、コイル組立体３０と電気的に接続される外部端子２０ａ、２０ｂが装着されている。
【００２４】
更に、図２から図４をも参照すると、コイル組立体３０は、各々がｙ軸の方向に延在すると共にｘ軸の方向に互いに並置された一対のコイル５０ａ、５０ｂと、コイル５０ａ、５０ｂ内に各々ｙ軸の方向に延在して対応して配設されたセンタコア７２、７２と、コイル５０ａ、５０ｂ内に各々配設されたセンタコア７２、７２間を各々ｘ軸の方向に延在して対応して磁気的に接続すべく配設されたサイドコア７４、７４と、コイル５０ａ、５０ｂ、センタコア７２、７２、及びサイドコア７４、７４が装着自在なボビン組立体９０と、を備える。ここで、外部端子２０ａ、２０ｂは、コイル５０ａ、５０ｂの各々一端に対応して電気的に接続され、コイル５０ａ、５０ｂの他端同士も電気的に互いに接続される。また、センタコア７２、７２及びサイドコア７４、７４は、典型的には電磁鋼製であり、対応して連絡されて磁気的に接続され得る環状のリアクトルコアを成す。
【００２５】
ボビン組立体９０は、コイル５０ａ、５０ｂ等の組付け性を向上する観点からは、分割された構成要素から成ることが好ましい。具体的には、ボビン組立体９０は、各々が典型的にはＰＰＳ（ポリフェニレンサルファイド）樹脂等の樹脂製の一体成形品である第１ボビンケース１００と、第２ボビンケース２００と、を備えることが好ましい。かかる第１ボビンケース１００及び第２ボビンケース２００は、別体の分割体であるが、それらは、組み付けられて一体化自在であり、それらが組み付けられた場合には一体構造を有するボビン組立体９０となる。
【００２６】
第１ボビンケース１００は、ｙ軸の負方向側にサイドコア収容部１０２を備えると共に、サイドコア収容部１０２からｙ軸の正方向側に延在しながらｘ軸の方向に並置された板状で一対のセンタコア収容部１０４、１０４を備える。ここで、充填材Ｍをコイル組立体３０の内部に充填する充填性を向上する観点からは、センタコア収容部１０４、１０４には、各々板状部を上下方向に開いた矩形状の開口部１０８、１０８が設けられることが好ましい。そして、センタコア収容部１０４、１０４がコイル５０ａ、５０ｂの内周部に対応して挿通される際にコイル５０ａ、５０ｂを概略的に位置決めすると共に、充填材Ｍをコイル５０ａ、５０ｂの内周側を介して開口部１０８、１０８からコイル組立体３０の内部に充填する充填性を向上する観点からは、かかる開口部１０８、１０８のｙ軸の方向に延在する周縁部には、各々そこから上方に突出する突出部１０６、１０６が設けられることが好ましい。ここで、板状のセンタコア収容部１０４、１０４の強度を向上する観点からは、突出部１０６、１０６は、開口部１０８、１０８のｙ軸の方向に延在する周縁部において、各々ｙ軸の方向に直線的に連なって上方に突出するレール状の構成を有することが好ましい。つまり、１つの開口部１０８におけるｙ軸の方向に延在する周縁部には、ｙ軸の方向に直線的に連なって上方に突出するレール状の突出部１０６、１０６が互いに対向して設けられていることが好ましい。また、センタコア収容部１０４、１０４が、コイル５０ａ、５０ｂの内周部に対応して挿通されて組み付けられる組付け性を向上する観点からは、かかる突出部１０６、１０６におけるｙ軸の方向の端部、つまり、センタコア収容部１０４、１０４がコイル５０ａ、５０ｂの内周部に対応して挿通される挿通側の端部には、各々テーパ形状のテーパ部１０６ｔ、１０６ｔが設けられることが好ましい。この場合、第１ボビンケース１００の成形上の簡便さからは、かかる突出部１０６、１０６におけるｙ軸の方向の両端部に、各々テーパ形状のテーパ部１０６ｔ、１０６ｔが設けられていてもよい。また、開口部１０８、１０８には、各々センタコア収容部１０４、１０４の強度を増しながらセンタコア７２、７２を確実に保持できるように、複数の支持部１１０が架橋等の態様で設けられてもよい。
【００２７】
ここで、図２（ｂ）を参照すれば理解できるように、第１ボビンケース１００及び第２ボビンケース２００が組付けられて一体となったボビン組立体９０にコイル５０ａ、５０ｂを巻回してコイル組立体３０を構成する場合には、センタコア収容部１０４、１０４が、コイル５０ａ、５０ｂの内周部に対応して挿通される際に、突出部１０６、１０６の上端がコイル５０ａ、５０ｂの内周部を案内することにより、突出部１０６、１０６の上端とコイル５０ａ、５０ｂの内周部との空間的な関係が、互いに当接するか又は微小な空隙部が画成されるような状態に設定されている。つまり、センタコア収容部１０４、１０４の上面とコイル５０ａ、５０ｂの内周部との間には、必ず空隙部が確保されている。よって、コイル組立体３０を収容したリアクトルケース１０内に充填材Ｍを充填する際には、充填途中の流体状の充填材Ｍが、センタコア収容部１０４、１０４の上面とコイル５０ａ、５０ｂの内周部との間に維持された空隙部から開口部１０８、１０８を介してコイル組立体３０の内部に確実に侵入自在である。
【００２８】
第２ボビンケース２００は、ｙ軸の正方向側にサイドコア収容部２０２を備えると共に、サイドコア収容部２０２からｙ軸の負方向側に延在しながらｘ軸の方向に並置された箱
状で一対のセンタコア収容部２０４、２０４を備える。ここで、充填材Ｍをコイル組立体３０の内部に充填する充填性を向上する観点からは、センタコア収容部２０４、２０４には、各々複数の支持部２１０で仕切られた複数の矩形状の開口部２０８が設けられることが好ましい。そして、センタコア収容部２０４、２０４がコイル５０ａ、５０ｂの内周部に対応して挿通される際にコイル５０ａ、５０ｂを概略的に位置決めする観点からは、センタコア収容部２０４、２０４の各々の底面部には、かかる底面部から各々下方に突出する突出部２０６、２０６が設けられることが好ましい。ここで、センタコア収容部２０４、２０４の強度を向上する観点からは、突出部２０６、２０６は、ｙ軸の方向に直線的に連なって下方に突出するレール状の構成を有することが好ましい。また、センタコア収容部２０４、２０４が、コイル５０ａ、５０ｂの内周部に対応して挿通されて組み付けられる組付け性を向上する観点からは、かかる突出部２０６、２０６におけるｙ軸の方向の端部、つまり、センタコア収容部２０４、２０４がコイル５０ａ、５０ｂの内周部に対応して挿通される挿通側の端部には、各々テーパ形状のテーパ部２０６ｔ、２０６ｔが設けられることが好ましい。この場合、第２ボビンケース２００の成形上の簡便さからは、かかる突出部２０６、２０６におけるｙ軸の方向の両端部に、各々テーパ形状のテーパ部２０６ｔ、２０６ｔが設けられていてもよい。
【００２９】
ここで、図２（ｂ）を参照すれば理解できるように、第１ボビンケース１００及び第２ボビンケース２００が組付けられて一体となったボビン組立体９０にコイル５０ａ、５０ｂを巻回してコイル組立体３０を構成する場合には、センタコア収容部２０４、２０４が、コイル５０ａ、５０ｂの内周部に対応して挿通される際に、突出部２０６、２０６の下端がコイル５０ａ、５０ｂの内周部を案内することにより、突出部２０６、２０６の下端とコイル５０ａ、５０ｂの内周部との関係が、互いに当接するか又は微小な空隙部が画成されるような状態に設定されている。つまり、センタコア収容部２０４、２０４の下面とコイル５０ａ、５０ｂの内周部との間には、必ず空隙部が確保されている。よって、コイル組立体３０を収容したリアクトルケース１０内に充填材Ｍを充填する際には、充填途中の流体状の充填材Ｍが、センタコア収容部２０４、２０４の下面とコイル５０ａ、５０ｂの内周部との間を流れることができ、充填材Ｍの流動性が高まってその着き回り性が向上すると共に、充填材Ｍが複数の開口部２０８を介してコイル組立体３０の内部に侵入自在である。
【００３０】
以上のような構成のリアクトル装置１を製造するには、以下の工程を経ればよい。なお、以下の製造工程では、説明の便宜上、別体の第１ボビンケース１００及び第２ボビンケース２００を用い、第１ボビンケース１００のセンタコア収容部１０４、１０４は開口部１０８を有し、第２ボビンケース２００のセンタコア収容部２０４、２０４は開口部２０８を有するものとして説明する。
【００３１】
具体的には、かかる製造工程では、まず、互いに分割された状態の第１ボビンケース１００及び第２ボビンケース２００を用意する。
【００３２】
次に、第１ボビンケース１００のセンタコア収容部１０４、１０４を、コイル５０ａ、５０ｂの内周部に対応して進入させてこれらを挿通させる。一方で、第２ボビンケース２００のセンタコア収容部２０４、２０４に、各々センタコア７２、７２を載置して収容する。
【００３３】
次に、第２ボビンケース２００においてセンタコア７２、７２を載置したセンタコア収容部２０４、２０４を、コイル５０ａ、５０ｂの内周部に対応して進入させてこれらを挿通させながら、第１ボビンケース１００のセンタコア収容部１０４、１０４と第２ボビンケース２００のセンタコア収容部２０４、２０４とが合わさるように、第２ボビンケース２００の上方に第１ボビンケース１００を対向させていき、そして、これらを組み合わせ
て嵌合等の構成により一体化する。
【００３４】
次に、第１ボビンケース１００のサイドコア収容部１０２、及び第２ボビンケース２００のサイドコア収容部２０２には、各々、サイドコア７４、７４を載置して収容させると共に、外部端子２０ａ、２０ｂを装着したケース嵌合部材１４を第１ボビンケース１００に装着して固定し、コイル組立体３０を構成する。
【００３５】
次に、ケース嵌合部材１４をリアクトルケース１０の切欠き部に嵌合させながら、コイル組立体３０をリアクトルケース１０内に収容して固定する。この際、コイル５０ａ、５０ｂの各々の一端を対応する外部端子２０ａ、２０ｂに電気的に接続すると共に、コイル５０ａ、５０ｂの各々の他端同士を電気的に接続する。なお、コイル５０ａ、５０ｂの各々の他端同士は、予め電気的に接続しておいてもよい。
【００３６】
次に、コイル組立体３０を内部に収容して固定したリアクトルケース１０内に充填材Ｍを充填していく。この際、第１ボビンケース１００のセンタコア収容部１０４、１０４に設けられた突出部１０６、１０６の上端でコイル５０ａ、５０ｂの内周部が位置決めされている。つまり、コイル組立体３０を収容したリアクトルケース１０内に充填材Ｍを充填する際には、充填途中の流体状の充填材Ｍが、第１ボビンケース１００におけるセンタコア収容部１０４、１０４の上面とコイル５０ａ、５０ｂの内周部との間に維持された空隙部から開口部１０８、１０８を介してコイル組立体３０の内部に侵入していく。同時に、第２ボビンケース２００のセンタコア収容部２０４、２０４に設けられた突出部２０６、２０６の下端でコイル５０ａ、５０ｂの内周部が位置決めされている。つまり、コイル組立体３０を収容したリアクトルケース１０内に充填材Ｍを充填する際には、充填途中の流体状の充填材Ｍが、センタコア収容部２０４、２０４の下面とコイル５０ａ、５０ｂの内周部との間を流れることができ、充填材Ｍの流動性が高まってその着き回り性が向上すると共に、複数の開口部２０８を介してコイル組立体３０の内部に侵入していく。
【００３７】
そして、リアクトルケース１０内に充填材Ｍを所定量ほど充填し終わると、充填材Ｍの充填を止めて固化させることにより、リアクトル装置１は完成される。なお、以上の工程で、コイル５０ａ、５０ｂを最初に挿通させるのは、第２ボビンケース２００のセンタコア収容部２０４、２０４でもよい。
【００３８】
さて、以上の工程を経て得られたリアクトル装置１につき、その充填材Ｍの充填状態を確認するために、これを図１で示すＡ−Ａ切断線及びＢ−Ｂ切断線に沿って切断して、充填材Ｍの充填状態を観察した。
【００３９】
すると図４（ａ）及び図４（ｂ）に模式的に示すように、充填材Ｍは、コイル５０ａ、５０ｂの周り、センタコア７２、７２の周り、及びコイル５０ａ、５０ｂとセンタコア７２、７２との周りの全てにおいて、不要な空洞等が生じることなく確実に充填されていることが確認された。なお、図４（ｂ）におけるコイル５０ａ、５０ｂの各々の不連続部ｃは、コイル５０ａ、５０ｂの各々が巻回されているために生じたものである。
【００４０】
なお、本発明は、部材の形状、配置、個数等は前述の実施形態に限定されるものではなく、その構成要素を同等の作用効果を奏するものに適宜置換する等、発明の要旨を逸脱しない範囲で適宜変更可能であることはもちろんである。
【産業上の利用可能性】
【００４１】
以上のように、本発明においては、コイルとボビンとの間やボビンとコアとの間の内部空間のクリアランスを一定に保ちながら、充填材をかかる内部空間にまで簡便かつ確実に充填することができるリアクトル装置を提供することができるものであるため、その汎用
普遍的な性格から広範にハイブリッド車や電気自動車等の車両のリアクトル装置の分野に適用され得るものと期待される。
【符号の説明】
【００４２】
１…リアクトル装置
１０…リアクトルケース
１２…固定部
１４…ケース嵌合部材
２０ａ、２０ｂ…外部端子
３０…コイル組立体
５０ａ、５０ｂ…コイル
７２…センタコア
７４…サイドコア
９０…ボビン組立体
１００…第１ボビンケース
１０２…サイドコア収容部
１０４…センタコア収容部
１０６…突出部
１０６ｔ…テーパ部
１０８…開口部
１１０…支持部
２００…第２ボビンケース
２０２…サイドコア収容部
２０４…センタコア収容部
２０６…突出部
２０６ｔ…テーパ部
２０８…開口部
２１０…支持部
Ｍ…充填材
ｃ…不連続部
【図１】
2014027086.tif 000003
【図２】
2014027086.tif 000004
【図３】
2014027086.tif 000005
【図４】
2014027086.tif 000006